(57)【特許請求の範囲】
【請求項１】
輸液チューブ(31)をローラ(101)の回転により押圧して送液を行う輸液ポンプ本体(1)に着脱可能であって、該輸液ポンプ本体(1)に回転可能に取り付けられたカバー(103)の接触により前記ローラ(101)の回転軸に対してほぼ直角方向に移動するよう、該輸液ポンプ本体(1)に設けられた可動係合部材(104)に係合する係合部(12)を有するベース部材(10)と、該ベース部材(10)に係合し、かつ前記ローラ(101)の半径方向の少なくとも一方向の限られた範囲で可動し、前記ローラ(101)との間に前記輸液チューブ(31)を押圧可能な円弧状部分を有する可動部材(20)よりなる、輸液ポンプ用カセット(2)を備え、
前記可動係合部材(104)は、該ベース部材(10)の係合部(12)と係合するために可動突起(12ａ)を備え、コイルバネからなる付勢部材(111)による弾発力により、外力がかからない状態において前記ローラ(101)からもっとも離れた位置に留まるようにされたことを特徴とする輸液ポンプ用カセットを備えた携帯型輸液ポンプ。
【発明の詳細な説明】
【０００１】
【発明の属する技術分野】
本発明は、体内に薬液(輸液)の注入を行うための輸液ポンプ、より具体的には輸液チューブをローラの回転により押圧して送液を行う輸液ポンプに容易に着脱できるカセット及びそれを備えた輸液ポンプ、特に携帯型輸液ポンプに関するものである。
【０００２】
【従来の技術】
輸液ポンプは、患者への薬液注入を長時間にわたり自動的に管理するために使用される。特に小型の携帯型輸液ポンプは、病院内のみならず在宅医療においても使用されることが多く、そのため輸液を行うための操作が簡便となるよう様々な工夫がなされている。
【０００３】
そのような工夫の１つに輸液のためのチューブセットに輸液ポンプに脱着可能なカセット部を形成し、ポンプへの装着を簡便にする方法がある。この方法によれば輸液チューブのポンプへのセッティングは容易となる一方で、ローラでチューブを押圧する際の対板となるステータがカセットとなるため、カセットのポンプへの装着位置誤差などの原因によりローラとステータの間隙にばらつきが生じる。すなわちチューブの押圧力が一定せず、結果として送液量に誤差がでる原因となる。
【０００４】
この送液誤差を抑えるため、ステータを垂直方向に可動な部材により形成し、カセットのハウジングに開口部を設けて可動部材を配置しポンプカセット挿入部のドアの内面にバネを設けてこれを可動部材の上面に接触させ可動部材を垂直方向に可動とした構造が提案されている（特表平11−506355号）。
【０００５】
この方法によれば、ローラとステータの間隙誤差がバネの作用により自動調整されるため安定した流量精度が確保できる。しかしながら前記方法による構造では、バネという新たな構成要素をポンプ本体のドア部に設置する必要があるだけでなく、カセットへのチューブ接続部が左右両端部に分かれているため、ポンプを携帯する場合の取り扱いが煩雑になるという問題があった。
【０００６】
【課題を解決するための手段】
これらの問題を解決するために、本発明による輸液ポンプ用カセットを備えた携帯型輸液ポンプは、輸液チューブ(31)をローラ(101)の回転により押圧して送液を行う輸液ポンプ本体(1)に着脱可能であって、輸液ポンプ本体(1)に回転可能に取り付けられたカバー(103)の接触によりローラ(101)の回転軸に対してほぼ直角方向に移動するよう、輸液ポンプ本体(1)に設けられた可動係合部材(104)に係合する係合部(12)を有するベース部材(10)と、ベース部材(10)に係合し、かつローラ(101)の半径方向の少なくとも一方向の限られた範囲で可動し、ローラ(101)との間に輸液チューブ(31)を押圧可能な円弧状部分を有する可動部材(20)よりなる、輸液ポンプ用カセット(2)を備え、可動係合部材(104)は、ベース部材(10)の係合部(12)と係合するために可動突起(12ａ)を備え、コイルバネからなる付勢部材(111)による弾発力により、外力がかからない状態においてローラ(101)からもっとも離れた位置に留まるようにされたことを特徴とする。
【００１０】
【作用】
上記構成によれば、輸液ポンプ本体にバネなどの新たな構成要素を付加しなくともローラとステータ間のチューブ押圧力を適正値に自動調整し流量精度が確保することができる。
【００１１】
また、カセットへのチューブ接続部が同一箇所にあるため、カセットを輸液ポンプにセットする時やポンプを携帯する場合の取り扱いが極めて容易になる。
【００１２】
【実施例】
以下、本発明を携帯型輸液ポンプの実施例について詳述する。
【００１３】
図１に、本発明に係る輸液ポンプ用カセットおよび輸液ポンプの外観斜視図を示す。
【００１４】
図１において、10は輸液ポンプ用カセットのベース部材、20はカセット可動部材、1は携帯型輸液ポンプ本体である。
【００１５】
カセットベース部材10、カセット可動部材20は、耐薬品性、耐衝撃性を有する熱可塑性樹脂、例えばハイインパクトスチロール、ＡＢＳ等で形成される。輸液ポンプ本体1は、カセット2のベース部材10の係合部としてのスロット(孔)12に係合(嵌合)可能な係合部(突起)12aを有するカセットスライダ(可動係合部材)104を備えている(図3参照)。
【００１６】
100は、電源ＯＮ／ＯＦＦスイッチ、105は、押圧することによりカセットカバー103を開けるスイッチであり、106は、輸液ポンプの動作状態、輸液速度、輸液量等の輸液条件等を液晶等で表示する表示部である。
【００１７】
このカセットスライダ104は、輸液ポンプ本体1のカセット装着面の一方向に移動可能で、かつコイルバネ111(図3参照)等の付勢部材による弾発力によって、外力がかからない状態においてその可動範囲内でローラ101から最も離れた位置に留まるように設置されている。
【００１８】
輸液ポンプ本体１に回転(回動)可能に取り付けられたカセットカバー103の回転運動に伴い、カセットカバー103のヒンジ部107がカセットベース部材10に押しつけられることにより、カセットベース部材10のスロット12とカセットスライダ104の可動突起12aが係合(嵌合)しているため、カセットスライダ104は、コイルバネ等で形成される付勢部材111の弾発力(バネ力)に抗しローラ101に向かって移動する。
【００１９】
すなわち、カセットカバー103が開いた状態では、カセットスライダ104は、ローラ101から所定距離離れた状態にあり、カセット2を輸液ポンプ本体１に装着しやすくなっている。
【００２０】
カセットカバー103を閉める操作と同時にカセット2は、カセットスライダ104に押圧される形でローラ101に近づき、カセットカバー103が閉じた状態で、ローラ101とカセット可動部材20のステータ部21が輸液チューブ31を押圧し、かつ送液に適切な押圧力保持する位置で停止する。
【００２１】
また、カセットスライダ104の係合部(突起)12aは、カセット2の装着面の非対称位置に設けられているため、カセット2が逆方向にセットされるのを防いでいる。
【００２２】
図2はカセット2の前面及び後面から見た外観図である。また、図3は輸液ポンプ１の正面の分解図である。
【００２３】
図に示すように、カセット2は、カセットベース部材10とカセット可動部材20より構成される。カセットベース部材10には梁部11があり、カセット可動部材10は梁部11が填り込むように梁部11よりも幅の広い溝部(凹部)23を有している。
【００２４】
また、カセット可動部材20とカセットベース部材10はそれぞれ突起部(凸部)22および切欠き部(凹部)13を有しており、これらにより、２つの部材が所定の位置関係に係合(嵌合)するようになっている。
【００２５】
切欠き部13は、突起部22よりも幅が大きく、前述の梁部11と溝部23の関係と合わせ、カセット可動部材20はカセットベース部材10と係合(嵌合)した状態で、カセットベース部材10に対して所定量変位可能となっている。
【００２６】
104はカセットスライダ、108はモータ、109はかさ歯歯車、12aはカセットベース部材10の係合部である孔部12と係合(嵌合)する突起部(凸部)である。111は付勢部材としてのコイルバネで突起部12aを上方向に付勢し、可動するようにされている。
【００２７】
輸液終了時等において、スイッチ105を押圧することにより、カセットカバー103の係合が解除されるとカセットカバー103が開く。この時、規制が解除されるため、カセットスライダー104が上方向に動きカセットベース部材10、カセット可動部材20も同時に上方向に動く。こうしてカセット２が輸液ポンプ本体1から極めて容易に取り外すことができる。
【００２８】
輸液チューブ31は、カセット可動部材20とカセットベース部材10の係合(嵌合)状態において形成される溝に沿って保持されている。輸液チューブ31はカセットベース部材10とカセット可動部材20の係合(嵌合)状態により形成される６面のうちの１面より入り、カセット可動部材20のステータ部21を経てカセットベース部材10を走行してＵターンし再びカセット可動部材20を経て、輸液チューブ31の挿入面と同一面の異なる位置から延出でるように配置されている。
【００２９】
以上のような、梁部11と溝部23、突起部22と切欠き部13、溝への輸液チューブ31の配置により、カセット可動部材20とカセットベース部材10とを嵌合し輸液チューブ31を配置した状態においては、カセット可動部材20とカセットベース部材10は、所定の位置関係になるように矯正される。
【００３０】
カセット2を輸液ポンプ1にセットし送液を行っている状態では、カセット可動部材20のステータ部31とローラ101との間の輸液チューブ31の押圧力を適正値に保つことにより、高い流量精度を実現できる。
【００３１】
本実施例のカセット2においては、カセット可動部材20がローラ101の一半径方向に変位可能であるが、カセット可動部材20がローラ101の回転による負荷変動などにより変位する際、カセットベース部材10との間で形成している輸液チューブ31の配置溝にズレが生じる。
【００３２】
すなわち、配置している輸液チューブ31を剪断する方向に変位が生じ、その剪断に対する輸液チューブ31の抗力がカセット可動部材20に働くこととなり、結果としてカセット可動部材20のステータ部21とローラ101の間の輸液チューブ31の押圧力を適正範囲に維持することができる。
【００３３】
輸液チューブ31の押圧力の設定は、カセット可動部材20のステータ部31ではない側のカセットベース部材10との間に配置されている輸液チューブ31の弾性力を変えることにより必要な値を得ることができる。すなわちチューブの厚みや材質を変えることにより設定できる。
【００３４】
また、当該区間の配置チューブの外側あるいは内側に部材を配置するなど部材の付加によっても設定することができる。したがって、ポンプ本体にバネなどの新たな構成要素を付加することなく、しかも、カセット2の構成に必要な最小限の要素を利用してローラ101とステータ部21間の輸液チューブ31の押圧力を適正値に調整する機構を実現することができる。
【００３５】
【発明の効果】
以上説明したように、本発明の輸液ポンプ用カセット及びそれを備えた輸液ポンプによれば、カセットの構成部品の１つであるチューブがカセット可動部材により構成したステータの動きを弾性的に拘束しているため、輸液ポンプ本体にバネなどの新たな構成要素を付加しなくともローラとステータ間のチューブ押圧力を適正値に自動調整し流量精度が確保することができる。
【００３６】
また、輸液ポンプ本体の構造を簡単にすることができ、カセット、輸液ポンプ双方の構造を簡単にすることができる。
【００３７】
また、カセットへの輸液チューブ接続部が同一箇所にあるため、カセットをポンプにセットする時や、ポンプを衣服に装着したり、持ち運ぶ際に鞄等のケースに出入れりする場合に輸液チューブの取り回しが容易となり、カセット装着の操作性、ポンプの携帯性が向上する。
【図面の簡単な説明】
図１は、本発明に係る輸液ポンプ用カセットおよび輸液ポンプの外観斜視図である。
図2はカセット2の前面及び後面から見た外観図である。
図3は輸液ポンプ１の正面の分解図である。
【符号の説明】
1…輸液ポンプ本体、２…カセット、10…カセットベース部材、12a…突起部、20…カセット可動部材、21…ステータ、31…輸液チューブ、101…ローラ、103…カセットカバー、104…カセットスライダ、107…ヒンジ
【図１】
0003931013.tif 000002
【図２】
0003931013.tif 000003
【図３】
0003931013.tif 000004